(57)【特許請求の範囲】
【請求項１】
複数の搬送波の周波数の信号を受信可能で、前記複数の搬送波の周波数の中で最高周波数の信号の半波長間隔でアレイ状に配置された複数のアンテナ素子と、
各々の前記アンテナ素子の給電経路中に介在され、前記アンテナ素子で得られる最高周波数の信号を一定帯域の信号に変換する第１の周波数変換手段と、
前記半波長間隔を２以上の整数倍に広げた間隔を単位間隔とし、前記複数のアンテナ素子のうち、前記単位間隔に相当するアンテナ素子の給電経路中に介在されるものであって、前記最高周波数に比して低い搬送波の周波数に対応し、該第１の周波数変換手段と同一の一定帯域の信号に変換する第２の周波数変換手段と、
前記複数のアンテナ素子の給電経路中に介在され、前記周波数の信号の使用周波数に応じて前記アンテナ素子を前記第１の周波数変換手段と前記第２の周波数変換手段とに選択的に接続する切換手段と、
前記複数の第１の周波数変換手段または前記複数の第２の周波数変換手段それぞれの出力を合成して、ビームを形成するビーム形成手段とを備え、
前記ビーム形成手段は、
一方をビーム形成のための主たる動作を実行する主系統として機能し、他方をビーム形成のための該主系統に対する補助として用いられる補助系統として機能する少なくとも２つの処理系統と、
前記主系統における使用周波数に応じて、前記複数のアンテナ素子の給電経路を、主系統及び補助系統に選択的に切換接続する系統切換接続手段とを具備してなることを特徴とする空中線装置。
【請求項２】
前記ビーム形成手段の系統切換接続手段は、前記複数のアンテナ素子のうち、一部が前記主系統のグループに属し、他が前記補助系統のグループに属するように、前記複数のアンテナ素子の給電経路を互いに独立して前記２つの処理系統に接続を行なう手段を有してなることを特徴とする請求項１記載の空中線装置。
【請求項３】
前記ビーム形成手段は、前記第１もしくは第２の周波数変換手段の出力をデジタル信号に変換し、かつＩ／Ｑ検波を行なうデジタル変換手段と、このデジタル変換手段の各々の出力を合成して、デジタルビームを形成する合成手段を有し、
前記２つの処理系統及び前記系統切換接続手段は、前記合成手段に内蔵されてなることを特徴とする請求項１記載の空中線装置。
【請求項４】
複数の搬送波の周波数の信号を送信可能で、前記複数の搬送波の周波数の中で最高周波数の信号の半波長間隔でアレイ状に配置された複数のアンテナ素子と、
送信源から信号を取り入れ、この信号から複数の送信信号を形成して前記複数のアンテナ素子へ与える送信信号形成手段と、
前記送信信号形成手段から前記複数のアンテナ素子に至る給電経路中に介在され、前記送信信号形成手段から形成された複数の送信信号を前記複数の搬送波の周波数の信号に変換する第１の周波数変換手段と、
前記半波長間隔を２以上の整数倍に広げた間隔を単位間隔とし、前記複数のアンテナ素子のうち、前記単位間隔に相当するアンテナ素子の給電経路中に介在されるものであって、前記最高周波数に比して低い搬送波の周波数に対応し、該第１の周波数変換手段と同一の一定帯域の信号に変換する第２の周波数変換手段と、
前記複数のアンテナ素子の給電経路中に介在され、前記周波数の信号の使用周波数に応じて前記アンテナ素子を前記第１の周波数変換手段と前記第２の周波数変換手段とに選択的に接続する切換手段とを備え、
前記送信信号形成手段は、
一方を前記複数の送信信号を形成するための主たる動作を実行する主系統として機能し、他方を前記複数の送信信号を形成するための該主系統に対する補助として用いられる補助系統として機能する少なくとも２つの処理系統と、
前記主系統における使用周波数に応じて、前記複数のアンテナ素子の給電経路を、主系統及び補助系統に選択的に切換接続する系統切換接続手段とを具備してなることを特徴とする空中線装置。
【請求項５】
前記送信信号形成手段の系統切換接続手段は、前記複数のアンテナ素子のうち、一部が前記主系統のグループに属し、他が前記補助系統のグループに属するように、前記複数のアンテナ素子の給電経路を互いに独立して前記２つの処理系統に接続を行なう手段を具備してなることを特徴とする請求項４記載の空中線装置。
【請求項６】
前記送信信号形成手段は、前記送信源からの信号を分配する分配手段と、各給電経路中に介在され、該分配手段により分配された信号に対してＩ／Ｑ変調を行なうＩ／Ｑ変調手段と、このＩ／Ｑ変調手段の出力をアナログ信号に変換するアナログ変換手段とを有し、
前記２つの処理系統及び前記系統切換接続手段は、前記分配手段に内蔵されてなることを特徴とする請求項４記載の空中線装置。
【発明の詳細な説明】
【０００１】
【発明の属する技術分野】
この発明は、広い周波数帯域に対して送受信可能な空中線装置に関する。
【０００２】
【従来の技術】
周知のように、シミュレータや多目的用途のレーダ等の空中線装置においては、単独で広帯域な周波数に対応した送受信機能を有する装置が要求されている。この広帯域送受信機能を得るためには、一般的にそれぞれの周波数に対応したアンテナ素子及び送受信装置を備える必要がある。
【０００３】
図５は、従来の一例である３つの周波数帯域に対応可能な空中線装置の構成を示している。
図５において、空中線装置は、例えばアレイ状に配置された複数のアンテナ素子部１１，周波数変換部１２，Ａ／Ｄ（Ａｎａｌｏｇ／Ｄｉｇｉｔａｌ）変換部（Ａ／Ｄ）１３，Ｉ／Ｑ検波部（Ｉ／Ｑ）１４及び例えばＤＢＦ（Ｄｉｇｉｔａｌ  Ｂｅａｍ  Ｆｏｒｍｉｎｇ）  基板で構成される電力分配／合成器（ＤＢＦ）１５ａ，１５ｂ，１５ｃにより構成されている。このうち、アンテナ素子部１１には、送受信を行ないたい周波数範囲で、高い周波数から順にＦ１，Ｆ２，Ｆ３として、Ｆ１用アンテナ素子１１ａ，Ｆ２用アンテナ素子１１ｂ及びＦ３用アンテナ素子１１ｃがあり、周波数変換部１２には、Ｆ１用周波数変換器１２ａ，Ｆ２用周波数変換器１２ｂ及びＦ３用周波数変換器１２ｃがある。なお、各アンテナ素子１１ａ，１１ｂ，１１ｃ及び各周波数変換器１２ａ，１２ｂ，１２ｃは、この空中線に要求されている３つの周波数帯域Ｆ１，Ｆ２，Ｆ３のうちのいずれか１つの帯域のみに対応可能である。
【０００４】
一方、目標から反射された搬送波のＲＦ（Ｒａｄｉｏ  Ｆｒｅｑｕｅｎｃｙ）  信号は、アンテナ素子部１１を通過して周波数変換部１２にて一定帯域のＩＦ（中間周波数）信号に変換され、Ａ／Ｄ変換部１３よりデジタル変換され、以後Ｉ／Ｑ変換部１４にてＩ／Ｑ検波され、電力分配／合成器１５ａ，１５ｂ，１５ｃにそれぞれ供給される。電力分配／合成器１５ａ，１５ｂ，１５ｃは、入力された受信信号に対してウエイトをかけ合わせて、さらにアンテナ素子１１ａ，１１ｂ，１１ｃの個数分の受信信号を加算することにより、ビーム形成を行なって図示しない受信装置へ出力する。
【０００５】
ところで、上記空中線装置では、周波数帯域に応じて各々独立したアンテナ素子１１ａ，１１ｂ，１１ｃを使用するため、図６に示すような素子配列を組むことになる。一般的に素子配列は、半波長毎に配列する必要がある。しかしながら、各種の周波数帯域に使用される各アンテナ素子１１ａ，１１ｂ，１１ｃを同一平面状に配列させる場合に、各アンテナ素子１１ａ，１１ｂ，１１ｃは、各々専用の周波数変換器１２ａ，１２ｂ，１２ｃに接続されるため、対応可能周波数帯域が高い周波数帯域になるほど、Ｆ１用のアンテナ素子１１ａ相互間にＦ２用もしくはＦ３用のアンテナ素子１１ｂ，１１ｃを配列することが困難になる。また、各アンテナ素子１１ａ，１１ｂ，１１ｃのアンテナ面における配置が各周波数帯域毎に別々に構成されており、周波数帯域毎に素子配列の位置を考慮した補正を行なう必要があるため、電力分配／合成器１５ａ，１５ｂ，１５ｃのビーム形成の制御が複雑化することになる。また、アンテナ素子１１ａ，１１ｂ，１１ｃの総数、電力分配／合成器１５ａ，１５ｂ，１５ｃの個数も通常のアンテナよりも多くなり、構成が大型化することになる。
【０００６】
【発明が解決しようとする課題】
以上のように、従来の空中線装置では、各周波数帯域毎に別個に送受信系統を設けているため、各周波数帯域毎のアンテナ素子を同一平面状に配列することが困難であり、さらにアンテナ素子の配列の位置を考慮した補正を行なう際に、ビーム形成の制御の複雑化及び装置の大型化を招くという問題を有している。
【０００７】
この発明の目的は、使用周波数帯域に応じた柔軟かつ容易なビーム制御が可能で、小型軽量化を図るとともに、多ビーム形成に必要な処理時間を短縮可能な空中線装置を提供することにある。
【０００８】
【課題を解決するための手段】
この発明に係る空中線装置は、複数の搬送波の周波数の信号を受信可能で、複数の搬送波の周波数の中で最高周波数の信号の半波長間隔でアレイ状に配置された複数のアンテナ素子と、各々のアンテナ素子の給電経路中に介在され、アンテナ素子で得られる最高周波数の信号を一定帯域の信号に変換する第１の周波数変換手段と、半波長間隔を２以上の整数倍に広げた間隔を単位間隔とし、複数のアンテナ素子のうち、単位間隔に相当するアンテナ素子の給電経路中に介在されるものであって、最高周波数に比して低い搬送波の周波数に対応し、該第１の周波数変換手段と同一の一定帯域の信号に変換する第２の周波数変換手段と、複数のアンテナ素子の給電経路中に介在され、周波数の信号の使用周波数に応じてアンテナ素子を第１の周波数変換手段と第２の周波数変換手段とに選択的に接続する切換手段と、複数の第１の周波数変換手段または複数の第２の周波数変換手段それぞれの出力を合成して、ビームを形成するビーム形成手段とを備えた装置に着目している。
【０００９】
そして、ビーム形成手段は、一方をビーム形成のための主たる動作を実行する主系統として機能し、他方をビーム形成のための該主系統に対する補助として用いられる補助系統として機能する少なくとも２つの処理系統と、主系統における使用周波数に応じて、複数のアンテナ素子の給電経路を、主系統及び補助系統に選択的に切換接続する系統切換接続手段とを備えるようにしている。
【００１０】
この構成によれば、複数のアンテナ素子を全周波数帯域において共通に使用し、切換手段による第１及び第２の周波数変換手段の選択及びビーム形成手段によってビーム形成制御を行なうことにより、広帯域に対応したビーム幅及び走査角を柔軟に設定することができる。また、ビーム形成手段におけるビーム形成を主系統と補助系統とに分けて行なうので、１系統から多ビーム形成を行なう場合に比べ、多ビーム形成に必要なビーム形成の処理時間を短縮することができる。
【００１１】
この発明に係る空中線装置は、複数の搬送波の周波数の信号を送信可能で、複数の搬送波の周波数の中で最高周波数の信号の半波長間隔でアレイ状に配置された複数のアンテナ素子と、送信源から信号を取り入れ、この信号から複数の送信信号を形成して複数のアンテナ素子へ与える送信信号形成手段と、送信信号形成手段から複数のアンテナ素子に至る給電経路中に介在され、送信信号形成手段から形成された複数の送信信号を複数の搬送波の周波数の信号に変換する第１の周波数変換手段と、半波長間隔を２以上の整数倍に広げた間隔を単位間隔とし、複数のアンテナ素子のうち、単位間隔に相当するアンテナ素子の給電経路中に介在されるものであって、最高周波数に比して低い搬送波の周波数に対応し、該第１の周波数変換手段と同一の一定帯域の信号に変換する第２の周波数変換手段と、複数のアンテナ素子の給電経路中に介在され、周波数の信号の使用周波数に応じてアンテナ素子を第１の周波数変換手段と第２の周波数変換手段とに選択的に接続する切換手段とを備えた装置に着目している。
【００１２】
そして、送信信号形成手段は、一方を複数の送信信号を形成するための主たる動作を実行する主系統として機能し、他方を複数の送信信号を形成するための該主系統に対する補助として用いられる補助系統として機能する少なくとも２つの処理系統と、主系統における使用周波数に応じて、複数のアンテナ素子の給電経路を、主系統及び補助系統に選択的に切換接続する系統切換接続手段とを備えるようにしている。
【００１３】
この構成によれば、送信系統においても、受信系統と同様に、複数のアンテナ素子を全周波数帯域において共通に使用し、１つの送信信号形成手段によって送信源からの信号を複数の送信信号に形成して複数のアンテナ素子に与えるようにし、第１及び第２の周波数変換手段を切換手段にて選択的に複数のアンテナ素子に切換接続するようにしている。このため、広帯域に対応したビーム幅及び走査角を柔軟に設定することができる。また、送信信号形成手段における複数の送信信号の生成を主系統と補助系統とに分けて行なうので、複数の送信信号を形成するのに必要な処理時間を短縮することができる。
【００１４】
【発明の実施の形態】
以下、この発明の実施の形態について図面を参照して詳細に説明する。
図１は、この発明の一実施の形態である空中線装置の受信系統の構成を示している。
図１において、図５と同一部分には同一符号を付して説明する。図５と異なる点は、アンテナ素子部１１に代えて広帯域用（広い周波数に対応可能な）のアンテナ素子部２１を用いている点である。このアンテナ素子部２１は、ｎ（ｎは自然数）個のアンテナ素子２１１〜２１ｎにより構成されており、これらアンテナ素子２１１〜２１ｎを搬送波の周波数の中で最高周波数のＲＦ信号の半波長間隔でアレイ状に配列している。また、アンテナ素子部２１と周波数変換部１２との間に、異なるフィルタ特性を有して使用周波数に対応し、対応周波数範囲の高いものから順にＦ１，Ｆ２，Ｆ３とする周波数変換器１２ａ，１２ｂ，１２ｃを選択し、切換えを行なうスイッチング部２２を介挿接続し、周波数変換部１２とＡ／Ｄ変換部１３との間に、スイッチング部２２に同期して切換え動作を行なうスイッチング部２３を介挿接続した点も異なる。これらスイッチング部２２，２３は、それぞれｎ個づつスイッチング回路２２１〜２２ｎ，２３１〜２３ｎを備えている。同様にＡ／Ｄ変換部１３及びＩ／Ｑ検波部１４も、それぞれｎ個のＡ／Ｄ変換器１３１〜１３ｎ，Ｉ／Ｑ検波器１４１〜１４ｎを備えている。さらに、Ｆ１用の電力分配／合成器１５ａ，Ｆ２用の電力分配／合成器１５ｂ及びＦ３用の電力分配／合成器１５ｃを１つの電力分配／合成器２４に共用化させた点も従来と異なる。
【００１５】
また、Ｆ１用の周波数変換器１２ａは各アンテナ素子２１１〜２１ｎの給電経路毎に配置されており、Ｆ２用の周波数変換器１２ｂもしくはＦ３用の周波数変換器１２ｃは最高周波数のＲＦ信号の半波長の整数倍の間隔に相当するアンテナ素子２１１，２１３，２１４等の給電経路に配置されている。なお、Ｆ３用の周波数変換器１２ｃは、Ｆ２用の周波数変換器１２ｂより大きい間隔で配置されている。
【００１６】
また、上記アンテナ素子２１１〜２１ｎのうち、一部が主系統用に属し、他が補助系統用に属している。上記説明では、主系統用について説明しているが、補助系統についても、同様にＦ２用もしくはＦ３用の周波数に対応するアンテナ素子が最高周波数のＲＦ信号の半波長の整数倍の間隔で配置されている。なお、補助系統用に属するＦ２用もしくはＦ３用のアンテナ素子が主系統用に属するＦ２用もしくはＦ３用のアンテナ素子の隣の給電経路に配置されるようにしてもよい。
【００１７】
電力分配／合成器２４は、図２に示すように、Ｉ／Ｑ検波器１４１〜１４ｎからのＩ／Ｑデータを積和演算処理することで合成し、ビームを形成する２つの処理系統２４ａ，２４ｂを備えている。このうち、一方を常にビーム形成処理を行なう主系統２４ａとし、他方を主系統２４ａに対する補助として用いられる補助系統２４ｂとしている。また、電力分配／合成器２４において、これら主系統２４ａ及び補助系統２４ｂと各アンテナ素子２１１〜２１ｎの給電経路との間には、スイッチング部２４ｃが介在されている。スイッチング部２４ｃは、Ｉ／Ｑ検波器１４１〜１４ｎの出力であるＩ／Ｑデータを主系統２４ａもしくは補助系統２４ｂへ選択的に導出する。
【００１８】
次に、上記構成による動作について説明する。
まず、ユーザがこの空中線装置の各パラメータ（ビーム幅，周波数，走査角）の設定を行なうことにより、アンテナ素子２１１〜２１ｎは、使用される個数が限定され、その各広帯域のアンテナ素子２１１〜２１ｎにおいてＲＦ信号の受信を行なう。そして、スイッチング部２２，２３では、設定パラメータに応じて、一定配列されたアンテナ素子２１１〜２１ｎの中から適切な素子間隔で周波数変換部１２への接続を行なう。
【００１９】
以後、従来と同様に、アンテナ素子２１１〜２１ｎにて受信された搬送波のＲＦ信号は、周波数変換部１２で一定帯域のＩＦ信号に変換され、Ａ／Ｄ変換部１３でデジタル変換、Ｉ／Ｑ検波部１４でＩ／Ｑ検波されて、電力分配／合成器２４に供給される。電力分配／合成器２４は、入力された受信信号に対して主系統２４ａにて複数のウエイトをかけ合わせて、さらにアンテナ素子２１１〜２１ｎの個数分の受信信号を加算することにより、ビーム形成を行ない図示しない受信装置へ出力する。
【００２０】
また、電力分配／合成器２４において、ユーザが対応周波数のうち比較的低い周波数を選択した場合、最初に選択されていないアンテナ素子２１１〜２１ｎを設定周波数に応じて適切な素子間隔で選択する。この選択された複数のアンテナ素子２１１〜２１ｎからの信号は、周波数変換部１２，Ａ／Ｄ変換部１３及びＩ／Ｑ検波部１４の処理を経て電力分配／合成器２４の補助系統２４ｂに接続される。補助系統２４ｂは、独立した新たな系統として主系統２４ａと同様ビームを形成する。
【００２１】
図３は、上記アンテナ素子部２１の配置例を示している。
図３において、全てのアンテナ素子２１１〜２１ｎは、搬送波の周波数の中で最高周波数のＲＦ信号の半波長間隔でアレイ状に配置されており、使用する周波数帯域に応じて、各アンテナ素子２１１〜２１ｎが選択的に選択される。ここで、対応周波数範囲中で、高い周波数帯域を使用する場合、アンテナ素子２１１〜２１ｎは、全て使用される。このとき、スイッチング部２２，２３は、Ｆ１用の周波数変換器１２ａ側に切り換えられることになる。
【００２２】
また、対応周波数範囲中で中間付近の周波数帯域を使用する場合、アンテナ素子２１１〜２１ｎのうち、例えばＦ２用の周波数変換器１２ｂを給電経路中に介在するアンテナ素子２１１，２１４等が選択される。このとき、スイッチング部２２のうちスイッチング回路２２１，２２４等は、Ｆ２用の周波数変換器１２ｂ側に切り換えられ、その他は接地側に切り換えられる。このとき、スイッチング部２３もスイッチング部２２に同期して切り換えられる。
【００２３】
さらに、対応周波数範囲中で低い周波数帯域を使用する場合、アンテナ素子２１１〜２１ｎのうち、例えばＦ３用の周波数変換器１２ｃを給電経路中に介在するアンテナ素子２１３等が選択される。このとき、スイッチング回路２２１〜２２ｎのうちスイッチング回路２２３等は、Ｆ３用の周波数変換器１２ｃ側に切り換えられ、その他は接地側に切り換えられる。スイッチング部２３もスイッチング部２２に同期して切り換えられる。
【００２４】
すなわち、アンテナ素子部２１は、図３に示す如く、電力分配／合成器２４の主系統２４ａの処理の場合、対応周波数範囲中における中間付近の周波数帯域でアンテナ素子２１ａが選択され、対応周波数範囲中における低い周波数帯域でアンテナ素子２１ｂが選択されることになる。また、電力分配／合成器２４の補助系統２４ｂの処理の場合、対応周波数範囲中における中間付近の周波数帯域でアンテナ素子２１ｃが選択され、対応周波数範囲中における低い周波数帯域でアンテナ素子２１ｄが選択されることになる。
【００２５】
次に、図４は、この発明の第２の実施の形態である送信系統を示している。
図４において、図１と同一部分には同一符号を付して説明する。図１と異なる点は、Ａ／Ｄ変換部１３及びＩ／Ｑ検波部１４に代えて、Ｄ／Ａ変換部（Ｄ／Ａ）２５及びＩ／Ｑ変調部２６をスイッチング部２３と電力分配／合成器２４との間に介挿接続した点である。なお、Ｄ／Ａ変換部２５は、ｎ個のＤ／Ａ変換器２５１〜２５ｎにより構成され、Ｉ／Ｑ変調部２６は、ｎ個のＩ／Ｑ変調器２６１〜２６ｎにより構成されている。また、アンテナ素子部２１においても、上記受信系統と同様に一部が主系統用に属し、他が補助系統用に属している。
【００２６】
すなわち、図示しない送信装置にて発生された信号は、電力分配／合成器２４の主系統２４ａもしくは補助系統２４ｂに取り込まれる。主系統２４ａ及び補助系統２４ｂは、入力された信号を分配して複数の送信信号を生成し、スイッチング部２４ｃを介して、各Ｉ／Ｑ変調器２６１〜２６ｎに出力する。各Ｉ／Ｑ変調器２６１〜２６ｎは、入力された送信信号に対してＩ／Ｑ変調処理を施して各Ｄ／Ａ変換器２５１〜２５ｎにそれぞれ供給している。Ｄ／Ａ変換器２５１〜２５ｎに供給された送信信号は、アナログ信号に変換された後、スイッチング回路２３１〜２３ｎを介してＦ１用の周波数変換器１２ａ，Ｆ２用の周波数変換器１２ｂ及びＦ３用の周波数変換器１２ｃにて選択的に周波数変換される。以後、各使用周波数に応じて周波数変換された送信信号は、スイッチング回路２２１〜２２ｎを介して各アンテナ素子２１１〜２１ｎより送信される。
【００２７】
なお、各周波数帯域におけるスイッチング部２２，２３の切換動作は、先の実施の形態である受信系統の切換動作と同様である。
したがって、上記各実施の形態によれば、広帯域用のアンテナ素子部２１を全周波数帯域において共通に使用し、スイッチング部２２，２３による周波数変換器１２ａ，１２ｂ，１２ｃの選択、及び電力分配／合成器２４によってビーム形成もしくは送信信号の形成の制御を行なうことにより、広帯域に対応したビーム幅及び走査角を柔軟に設定することができる。また、電力分配／合成器２４において、受信系統におけるビーム形成もしくは送信系統における送信信号の形成を主系統２４ａと補助系統２４ｂと分けて行なうので、１系統から多ビーム形成もしくは送信信号の形成を行なう場合に比べ、必要なビーム形成もしくは送信信号の形成の処理時間を短縮することができる。
【００２８】
また、アンテナ素子部２１の素子配列がどの周波数帯域においても同一であることから、ビーム形成もしくは送信信号の形成の制御を容易に実現できる。さらに、アンテナ素子部２１及び電力分配／合成器２４を全周波数帯域において共通に使用できるので、各周波数帯域毎に送受信系統を別々に設ける必要がなく、従来と比較して素子総数の削減を図ることができ、装置の小型軽量化を図ることができる。
【００２９】
なお、電力分配／合成器２４は、デジタルビームを形成しているが、アナログ信号によりビームを形成するようにしてもよい。
また、この発明は、上記実施の形態に限定されるものではなく、この他、この発明の要旨を逸脱しない範囲で種々変形して実施できることはもちろんのことである。
【００３０】
【発明の効果】
以上詳述したようにこの発明によれば、使用周波数帯域に応じた柔軟かつ容易なビーム制御もしくは送信信号制御が可能で、小型軽量化を図るとともに、多ビーム形成もしくは送信信号の形成に必要な処理時間を短縮可能な空中線装置を提供することができる。
【図面の簡単な説明】
【図１】この発明に係る空中線装置の一実施の形態を示すブロック構成図。
【図２】同実施の形態における電力分配／合成器の詳細を示すブロック構成図。
【図３】同実施の形態におけるアンテナ素子の配置例を説明するために示す図。
【図４】この発明の第２の実施の形態を示すブロック構成図。
【図５】従来の空中線装置を示すブロック構成図。
【図６】同従来装置におけるアンテナ素子の配置例を説明するために示す図。
【符号の説明】
１１，２１…アンテナ素子部、
２２，２３…スイッチング部、
１２…周波数変換部、
１３…Ａ／Ｄ変換部、
１４…Ｉ／Ｑ検波部、
１５ａ，１５ｂ，１５ｃ，２４…電力分配／合成器、
２４ａ…主系統、
２４ｂ…補助系統、
２４ｃ…スイッチング部、
２５…Ｄ／Ａ変換部、
２６…Ｉ／Ｑ変調部。
【図１】
0003547978.tif 000002
【図２】
0003547978.tif 000003
【図３】
0003547978.tif 000004
【図４】
0003547978.tif 000005
【図５】
0003547978.tif 000006
【図６】
0003547978.tif 000007